(57)【要約】【課題】３波長域発光型キセノンランプを用い赤外カットフィルタを用いない画像読み取り装置において、特定の波長の成分に対する反射率の高い原稿を読み取ったときの色バランスを補正する。【解決手段】従来の３ラインカラーイメージセンサの分光感度特性ではＲ透過フィルタの分光感度特性の山の裾が５７０ｎｍ程度から立ち上がり、Ｒ領域で最も強度が強い５９３ｎｍのスペクトルにおけるＣＣＤ相対分光感度が約４０％であるのに対し、本実施形態による改善したＲ透過フィルタを備えたイメージセンサでは分光感度特性の山の裾が５２０ｎｍ程度から立ち上がり、５９３ｎｍのスペクトルにおけるＣＣＤ相対分光感度が約８０％であることが判る。本実施形態では６５０ｎｍ以上の成分に対する反射率の高い原稿を読み取ったときに問題となる約６５０ｎｍ以上の成分の影響を軽減できる。【選択図】  図２
2005244504.tif 000002
【特許請求の範囲】
【請求項１】
３波長域発光型光源と、その光源の光により照明された原稿からの反射光を読み取る、Ｒ、Ｇ、Ｂの透過フィルタを有するカラーイメージセンサとを備えた画像読取装置において、前記原稿の反射率の波長依存性による前記カラーイメージセンサの読み取り出力の色バランスの崩れを補正する色バランス補正フィルタを有することを特徴とする画像読取装置。
【請求項２】
前記透過フィルタが前記色バランス補正フィルタを兼用することを特徴とする請求項１記載の画像読取装置。
【請求項３】
前記透過フィルタの分光透過率特性により前記色バランスの崩れを補正することを特徴とする請求項２記載の画像読取装置。
【請求項４】
３波長域発光型光源と、その光源の光により照明された原稿からの反射光を読み取る、Ｒ、Ｇ、Ｂの透過フィルタを有するカラーイメージセンサとを備えた画像読取装置において、前記光源は前記原稿の反射率の波長依存性による読み取り出力の色バランスの崩れを補正する発光スペクトルを有することを特徴とする画像読取装置。
【請求項５】
前記Ｒの透過フィルタの透過波長域内における前記光源のＧ蛍光体のスペクトルのサブピーク成分に対しＲ蛍光体のスペクトル成分の比率を小さくしたことを特徴とする請求項４記載の画像読取装置。
【請求項６】
前記Ｂの透過フィルタの透過波長域内における前記光源のＢ蛍光体のスペクトル成分に対しＧ蛍光体のスペクトルのサブピーク成分の割合を小さくしたことを特徴とする請求項４記載の画像読取装置。
【請求項７】
３波長域発光型光源と、その光源の光により照明された原稿からの反射光を読み取る、Ｒ、Ｇ、Ｂの透過フィルタを有するカラーイメージセンサとを備えた画像読取装置において、前記イメージセンサのＲ、Ｇ、Ｂの画像信号をデジタル画像データに変換するアナログ／デジタル変換手段と、前記デジタル画像データの各画素毎に黒レベルをゼロ、白レベルをフルスケールに正規化してＲ、Ｇ、Ｂの原画像データに変換する手段と、前記Ｒ、Ｇ、Ｂの各画像データ毎に対して指定された値を減算したデータを新たな画像データとして扱う手段とを備えたことを特徴とする画像読取装置。
【請求項８】
３波長域発光型光源と、その光源の光により照明された原稿からの反射光を読み取る、Ｒ、Ｇ、Ｂの透過フィルタを有するカラーイメージセンサとを備えた画像読取装置において、前記イメージセンサのＲ、Ｇ、Ｂの画像信号をデジタル画像データに変換するアナログ／デジタル変換手段と、前記デジタル画像データの各画素毎に黒レベルをゼロ、白レベルをフルスケールに正規化してＲ、Ｇ、Ｂの原画像データに変換する手段と、前記Ｒ、Ｇ、Ｂの各画像データ毎に対して指定された値を乗算したデータを新たな画像データとして扱う手段とを備えたことを特徴とする画像読取装置。
【請求項９】
前記減算する値又は乗算する値はＲ、Ｇ、Ｂ各々の原画像データのレベル又はそれらの原画像データの組合せにより指定した任意の値であることを特徴とする請求項７又は８記載の画像読取装置。
【請求項１０】
請求項１乃至９のいずれかに記載の画像読取装置を備えた画像形成装置。
【発明の詳細な説明】
【技術分野】
【０００１】
本発明は、カラーイメージスキャナ、カラーデジタル複写機など、原稿を光源により露光し、その反射光をカラーイメージセンサで読み取る画像読取装置及びそれを備えた画像形成装置に関し、特に色再現性を向上させた画像読取装置及び画像形成装置に関する。
【背景技術】
【０００２】
従来、カラーデジタル複写機等に用いられる画像読取装置としては、光源にハロゲンランプを用いたもの及び光源に３波長域発光型キセノン冷陰極放電管（以下、キセノンランプという）を用いたものがそれぞれ特許文献１、２に記載されている。ハロゲンランプを用いたものは、その発光スペクトルに含まれる赤外光が非常に多いため赤外カットフィルタが必須となることや、デジタルカラー複写機の高速化に伴い必要となる光量を確保しにくいことから、低コスト化、及び高速化が困難である。一方、キセノンランプを用いたものは、その発光スペクトルに含まれる長波長成分が非常に少ないことからハロゲンランプで必須であった赤外カットフィルタ無くすことが可能となり、低コスト化が可能となる。また、光量についても、ハロゲンランプをと比べ、発光効率が高いことから高光量を得やすく、デジタルカラー複写機の高速化が可能となる。
【特許文献１】特開平９−４６５３３号公報
【特許文献２】特開平１０−２８５３４１号公報
【発明の開示】
【発明が解決しようとする課題】
【０００３】
しかしながら，キセノンランプを用い赤外カットフィルタを用いない場合、殆どの色の原稿では問題とならないが、原稿によっては僅かな長波長光の影響が問題となる場合がある。図１３に代表的なキセノンランプの分光スペクトルを、図１４に代表的なＣＣＤカラーイメージセンサの分光感度特性を示す。また、図１５には長波長光成分の影響が出にくい例としての原稿Ａと、出易い例としての原稿Ｂ及び原稿Ｃの分光反射特性を示す。上記原稿に対し、光源としてＤ６５を用いた場合、各々の原稿のＸＹＺ三刺激値と色度ｘ，ｙは以下の表１のようになっている。
【表１】
2005244504.tif 000003
【０００４】
また、上記原稿Ａ、Ｂ、Ｃを図１３に示す特性を有するキセノンランプ及び図１４に示す特性を有するカラーイメージセンサで読み取った際の出力レベルは以下の表２のようになる
（値は相対値）。
【表２】
2005244504.tif 000004
【０００５】
表１に示した刺激値Ｘから考えると、イメージセンサのＲ（赤）出力は原稿Ａ＜原稿Ｂ＜原稿Ｃになる必要があるが、実際には原稿Ａ＜原稿Ｃ＜原稿Ｂとなっており、６５０ｎｍ以上の長波長成分に対する反射率の高い原稿Ｂのほうが赤味が強い結果となり、原稿の表色値との関係が崩れている。
【０００６】
また、キセノンランプの場合には、その発光スペクトルが波長により急激に変化する為、一部の種類の原稿では、原稿の色と異なった色を示す読取結果となってしまうことがある。図１６にキセノンランプの４８８ｎｍの小ピークの影響を受け易い原稿の例として原稿Ｅと原稿Ｆを、影響を受けにくい原稿の例として原稿Ｄの分光反射率を示す。上記原稿に対し、光源としてＤ６５を用いた場合、各々の原稿のＸＹＺ三刺激値と色度ｘ，ｙとは以下の表３のようになっている。
【表３】
2005244504.tif 000005
【０００７】
さらに、上記原稿Ｄ、Ｅ、Ｆを図１３に示す特性を有するキセノンランプ及び図１４に示す特性を有するカラーイメージセンサで読み取った際の出力レベルは以下の表４のようになる。
【表４】
2005244504.tif 000006
【０００８】
表３に示した刺激値Ｚから考えると、イメージセンサのＢ（青）出力は原稿Ｅ＜原稿Ｆ＜原稿Ｄになる必要があるが、実際には原稿Ｆ＜原稿Ｄ＜原稿Ｅとなっており、４８８ｎｍの成分に対する反射率の高い原稿Ｅのほうが青味が強い結果となり、原稿の表色値との関係が崩れる。
【０００９】
本発明はこのような問題点を解決するためになされたもので、コストアップ及び光量低下を極力抑え、上記問題である、原稿の色と異なる読取結果となることを軽減し、色再現性の優れた画像読取装置及びそれを備えた画像形成装置を提供することを目的とする。
【課題を解決するための手段】
【００１０】
請求項１に係る発明は、３波長域発光型光源と、その光源の光により照明された原稿からの反射光を読み取る、Ｒ、Ｇ、Ｂの透過フィルタを有するカラーイメージセンサとを備えた画像読取装置において、前記原稿の反射率の波長依存性による前記カラーイメージセンサの読み取り出力の色バランスの崩れを補正する色バランス補正フィルタを有することを特徴とする画像読取装置である。
請求項２に係る発明は、請求項１記載の画像読取装置において、前記透過フィルタが前記色バランス補正フィルタを兼用することを特徴とする画像読取装置である。
請求項３に係る発明は、請求項２記載の画像読取装置において、前記透過フィルタの分光透過率特性の設定により前記色バランスの崩れを補正することを特徴とする請求項２記載の画像読取装置。
請求項４に係る発明は、３波長域発光型光源と、その光源の光により照明された原稿からの反射光を読み取る、Ｒ、Ｇ、Ｂの透過フィルタを有するカラーイメージセンサとを備えた画像読取装置において、前記光源は前記原稿の反射率の波長依存性による読み取り出力の色バランスの崩れを補正する発光スペクトルを有することを特徴とする画像読取装置である。
請求項５に係る発明は、請求項４記載の画像読取装置において、前記Ｒの透過フィルタの透過波長域内における前記光源のＧ蛍光体のスペクトルのサブピーク成分に対しＲ蛍光体のスペクトル成分の比率を小さくしたことを特徴とする画像読取装置である。
請求項６に係る発明は、請求項４記載の画像読取装置において、前記Ｂの透過フィルタの透過波長域内における前記光源のＢ蛍光体のスペクトル成分に対しＧ蛍光体のスペクトルのサブピーク成分の割合を小さくしたことを特徴とする画像読取装置である。
請求項７に係る発明は、３波長域発光型光源と、その光源の光により照明された原稿からの反射光を読み取る、Ｒ、Ｇ、Ｂの透過フィルタを有するカラーイメージセンサとを備えた画像読取装置において、前記イメージセンサのＲ、Ｇ、Ｂの画像信号をデジタル画像データに変換するアナログ／デジタル変換手段と、前記デジタル画像データの各画素毎に黒レベルをゼロ、白レベルをフルスケールに正規化してＲ、Ｇ、Ｂの原画像データに変換する手段と、前記Ｒ、Ｇ、Ｂの各画像データ毎に対して指定された値を減算したデータを新たな画像データとして扱う手段とを備えたことを特徴とする画像読取装置である。
請求項８に係る発明は、３波長域発光型光源と、その光源の光により照明された原稿からの反射光を読み取る、Ｒ、Ｇ、Ｂの透過フィルタを有するカラーイメージセンサとを備えた画像読取装置において、前記イメージセンサのＲ、Ｇ、Ｂの画像信号をデジタル画像データに変換するアナログ／デジタル変換手段と、前記デジタル画像データの各画素毎に黒レベルをゼロ、白レベルをフルスケールに正規化してＲ、Ｇ、Ｂの原画像データに変換する手段と、前記Ｒ、Ｇ、Ｂの各画像データ毎に対して指定された値を乗算したデータを新たな画像データとして扱う手段とを備えたことを特徴とする画像読取装置である。
請求項９に係る発明は、請求項７又は８記載の画像読取装置において、前記減算する値又は乗算する値はＲ、Ｇ、Ｂ各々の原画像データのレベル又はそれらの原画像データの組合せにより指定した任意の値であることを特徴とする画像読取装置である。
請求項１０に係る発明は、請求項１乃至９のいずれかに記載の画像読取装置を備えた画像形成装置である。
【発明の効果】
【００１１】
請求項１、２、３に係る発明によれば、原稿の反射率の波長依存性による読み取り出力の色バランスの崩れをフィルタにより補正することができる。
請求項４、５、６に係る発明によれば、原稿の反射率の波長依存性による読み取り出力の色バランスの崩れを光源により補正することができる。
請求項７、８に係る発明によれば、特定原稿でＲ、Ｇ、Ｂの出力バランスが崩れた場合、Ｒ、Ｇ、Ｂの画像データに対して、設定により固定値を減算、或いは係数を乗算することで崩れたＲ、Ｇ、Ｂのバランスを補正することができる。このため、長波長成分に対する反射率の高い原稿、４８８ｎｍの成分に対する反射率の高い原稿等を読み取ったときの色再現性を改善する事ができる。
請求項９に係る発明によれば、長波長成分に対する反射率の高い原稿、４８８ｎｍの成分に対する反射率の高い原稿等を読み取ったときにＲ、Ｇ、Ｂの出力バランスを維持するための固定値テーブル又は係数テーブルを設定することにより、Ｒ、Ｇ、Ｂの出力バランス崩れを抑え、色再現性を改善することができる。
請求項１０に係る発明によれば、カラーデジタル複写機等の画像形成装置において、請求項１乃至９に係る発明の効果である色再現性の向上が実現できる。
【発明を実施するための最良の形態】
【００１２】
以下、図面を参照しながら本発明の実施形態について説明する。
〔第１の実施形態〕
図１は本発明の第１の実施形態による画像読取装置の概略構成を示す図である。この画像読取装置は、キセノンランプからなる光源１と、光源１から放射され原稿２で反射された光を集束する光学系３と、光学系３で集束された光を電気信号に変換して原稿２の画像を読み取るカラーイメージセンサ４と、カラーイメージセンサ４で生成されたカラー画像信号を処理する画像処理ブロック５とを備えている。カラーイメージセンサ４は、それぞれＲ、Ｇ、Ｂの透過フィルタ４１Ｒ、４１Ｇ、４１Ｂが入射方向に設けられた３つのＣＣＤリニアイメージセンサ４２Ｒ、４２Ｇ、４２Ｂを有する３ライン型カラーイメージセンサである。
【００１３】
図２は図１におけるＣＣＤリニアイメージセンサ４２Ｒに設けられたＲ透過フィルタ４１Ｒの分光透過率特性を説明するために、ＣＣＤリニアイメージセンサ４２Ｒの相対分光感度特性と、従来の代表的な３ラインカラーイメージセンサの分光感度特性と、従来の代表的なキセノンランプの相対分光強度特性（分光スペクトル）とを示したものである。この図より、従来の代表的な３ラインカラーイメージセンサのＣＣＤ分光感度特性ではＲの透過フィルタを有するＣＣＤリニアイメージセンサの相対分光感度は約５７０ｎｍ迄はほぼ０％であり、その相対分光感度の山の短波長側の裾が約５７０ｎｍから立ち上がり、Ｒ領域で最も強度が強い５９３ｎｍのスペクトルにおける値が約４０％であるのに対し、本実施形態による改善したＲ透過フィルタ４１Ｒを備えたＣＣＤリニアイメージセンサ４２Ｒでは相対分光感度は約５４０ｎｍ迄はほぼ０％であり、その相対分光感度の山の短波長側の裾が約５４０ｎｍから立ち上がり、５９３ｎｍのスペクトルにおける値が約８０％であることが判る。このような特性により、図１５の原稿Ｂを読み取る際に問題となる約６５０ｎｍ以上の成分の影響を軽減できる。
【００１４】
また、従来技術で例示した原稿Ａ、Ｂ、Ｃを図２に示した特性を有する従来の代表的なキセノンランプで照明し、本実施形態によるカラーイメージセンサ４で読み取ったときのＲ、Ｇ、Ｂの出力レベルは表５のようになる（値は相対値）。
【表５】
2005244504.tif 000007
【００１５】
この表と表２とを比較することにより、Ｒ出力の比は原稿Ａ：Ｂ：Ｃ＝１：１．２５：１．１７であったものが、本実施形態によれば、原稿Ａ：Ｂ：Ｃ＝１：１．２０：１．１６となり、原稿Ｂでの過大なＲ出力が改善されていることが判る。
【００１６】
このように、本発明の第１の実施形態によれば、イメージセンサのＲ透過フィルタの分光透過率特性の透過帯域が５５０ｎｍを実質的に含むようにＲ透過フィルタの分光透過率特性の山の短波長側の裾を広げたことにより、６５０ｎｍ以上の長波長成分に対する反射率の高い原稿を読み取ったときにＲ出力が高めに出る現象を軽減し、色再現性を改善することができる。
【００１７】
〔第２の実施形態〕
本発明の第２の実施形態による画像読取装置の基本構成は第１の実施の形態（図１）と同様である。ただし、本実施形態では、カラーイメージセンサの構成は従来と同じであり、キセノンランプのＲの蛍光体の分光スペクトルを変更することにより、色再現性を改善している。
【００１８】
図３は代表的なキセノンランプのＲ、Ｇ、Ｂの蛍光体の分光特性（発光スペクトル）を示し、図４は本実施形態のキセノンランプの分光特性と従来のキセノンランプの分光特性とを示す。図３から、図１５の原稿Ｂを読み取る際に問題となる約６５０ｎｍ以上の成分は殆どがＲ蛍光体によるものであり、Ｒ領域の光はＲ蛍光体の他にはＧ蛍光体のスペクトルのサブピーク成分が担っていることが判る。そこで、図４に示す本実施形態のキセノンランプでは、Ｒ蛍光体の比率を下げ、約６５０ｎｍ以上の成分の比率を大幅に減少させている。
【００１９】
また、従来技術で例示した原稿Ａ、Ｂ、Ｃを図４に示す特性を有する本実施形態のキセノンランプで照明し、従来の代表的なカラーイメージセンサで読み取ったときのＲ、Ｇ、Ｂの出力レベルは表６のようになる（値は相対値）。
【表６】
2005244504.tif 000008
【００２０】
この表と表２とを比較することにより、Ｒ出力の比は原稿Ａ：Ｂ：Ｃ＝１：１．２５：１．１７であったものが、本実施形態によれば、原稿Ａ：Ｂ：Ｃ＝１：１．２３：１．１７となり、原稿Ｂでの過大なＲ出力が改善されていることが判る。
【００２１】
このように、本発明の第２の実施形態によれば、イメージセンサのＲ透過フィルタの透過波長域内におけるキセノンランプのＧ蛍光体のスペクトルのサブピーク成分に対しＲ蛍光体のスペクトル成分の比率を小さくしたので、６５０ｎｍ以上の長波長成分に対する反射率の高い原稿を読み取ったときにＲ出力が高めに出る現象を軽減し、色再現性を改善することができる。
【００２２】
〔第３の実施形態〕
本発明の第３の実施形態による画像読取装置の基本構成は第１の実施の形態（図１）と同様である。本実施形態では、カラーイメージセンサの構成は第１の実施形態と同じであり、光源の構成は第２の実施形態と同じである。
【００２３】
従来技術で例示した原稿Ａ、Ｂ、Ｃを図４に示す特性を有する本実施形態のキセノンランプで照明し、図２に示す特性を有する本実施形態のカラーイメージセンサで読み取ったときのＲ、Ｇ、Ｂの出力レベルは表７のようになる（値は相対値）。
【表７】
2005244504.tif 000009
【００２４】
この表と表２とを比較することにより、Ｒ出力の比は原稿Ａ：Ｂ：Ｃ＝１：１．２５：１．１７であったものが、本実施形態によれば、原稿Ａ：Ｂ：Ｃ＝１：１．１７３：１．１６となり、原稿Ｂでの過大なＲ出力が大幅に改善されていることが判る。
【００２５】
図５は本実施形態と従来技術、第１の実施形態、第２の実施形態とを比較するために、長波長領域の影響について示したものである。この図は、短波長域（３５０ｎｍ）から長波長域（８００ｎｍ）に向かってＲ透過フィルタの分光感度特性と光源の分光スペクトルとを横軸の波長まで掛け合わせ積算した値を全波長域（３５０〜８００ｎｍ）の積和値で正規化したものである。この図において、”ＣＣＤ  Ｒ改善積算”は第１の実施形態、”Ｒ改善キセノン積算”は第２の実施形態、”ＣＣＤ＋キセノンＲ改善積算”は第３の実施形態である。
【００２６】
この図から、例えば、従来積算では６５０ｎｍで積和値が約０．８１であるので６５０ｎｍ以上の波長成分の影響は（１−０．８１）＝０．１９（１９％）あることが判る。これに対し、第１、第２、第３の実施形態では、それぞれほぼ０．１６、０．１７、０．１３である。また、この図から、約６３０ｎｍ〜７２０ｎｍの領域で比較すると、最も値の高い本実施形態を含めて全ての実施形態が従来例より高い値となっており、長波長領域の影響が軽減されていることが判る。
【００２７】
このように、本発明の第３の実施形態によれば、イメージセンサのＲ透過フィルタの分光透過率特性の山の裾を短波長側に広げ、かつそのＲ透過フィルタの透過波長域内におけるキセノンランプのＧ蛍光体のスペクトルのサブピーク成分に対しＲ蛍光体のスペクトル成分の比率を小さくしたので、６５０ｎｍ以上の長波長成分に対する反射率の高い原稿を読み取ったときにＲ出力が高めに出る現象を軽減し、色再現性を改善することができる。
【００２８】
〔第４の実施形態〕
本発明の第４の実施形態による画像読取装置の基本構成は第１の実施の形態（図１）と同様である。ただし、第１の実施形態では、Ｒ透過フィルタの分光感度特性を改善したのに対し、本実施形態ではＢ透過フィルタの分光感度特性を改善している。
【００２９】
図６は本実施形態のカラーイメージセンサに設けられたＢ透過フィルタの分光透過率特性を説明するために、そのＢ透過フィルタを備えたＣＣＤリニアイメージセンサの相対分光感度特性と、従来の代表的な３ラインカラーイメージセンサの分光感度特性と、従来の代表的なキセノンランプの相対分光強度特性（分光スペクトル）とを示したものである。この図から明らかなように、従来の代表的な３ラインカラーイメージセンサの分光感度特性ではＢ透過フィルタを備えたＣＣＤ相対分光感度は約５７０ｎｍ以上はほぼ０％であり、ＣＣＤ相対分光感度の山の長波長側の裾が５７０ｎｍ程度から立ち上がり、約４８８ｎｍのスペクトルにおける値が約５８％であるのに対し、本実施形態による改善したＢ透過フィルタを備えたＣＣＤリニアメージセンサではＣＣＤ相対分光感度は約５５０ｎｍ以上はほぼ０％であり、ＣＣＤ相対分光感度の山の長波長側の裾が約５５０ｎｍ程度から立ち上がり、約４８８ｎｍのスペクトルにおける値が約４５％であることが判る。従って、本実施形態では、４８８ｎｍの成分に対する反射率の高い原稿を読み取ったときに問題となる約４８８ｎｍの成分の影響が軽減できる。
【００３０】
また、従来技術で例示した原稿Ｄ、Ｅ、Ｆを図６に示す特性を有する従来の代表的なキセノンランプで照明し、本実施形態による改善したＢフィルタを有するカラーイメージセンサで読み取ったときのＲ、Ｇ、Ｂの出力レベルは表８のようになる（値は相対値）。
【表８】
2005244504.tif 000010
【００３１】
この表と表４とを比較することにより、Ｂ出力の比は原稿Ｅ：Ｆ：Ｄ＝１：０．９２：０．９６であったものが、本実施形態によれば、原稿Ｅ：Ｆ：Ｄ＝１：０．９５：０．９９となり、原稿Ｅでの過大なＢ出力が改善されていることが判る。
【００３２】
このように、本発明の第４の実施形態によれば、イメージセンサのＢ透過フィルタの分光透過率特性の透過帯域が５５０ｎｍを実質的に含まないように、分光透過率特性の山の長波長側の裾を短波長側に狭めたことにより、約４８８ｎｍの相対分光感度を低下させ、４８８ｎｍの成分に対する反射率の高い原稿を読み取ったときにＢ出力が高めに出る現象を軽減し、色再現性を改善することができる。
【００３３】
〔第５の実施形態〕
本発明の第５の実施形態による画像読取装置の基本構成は第１の実施の形態（図１）と同様である。ただし、本実施形態では、カラーイメージセンサの構成は従来と同じであり、キセノンランプのＢの蛍光体を分光スペクトルを変更することにより、色再現性を改善している。
【００３４】
図７は本実施形態のキセノンランプの分光特性と従来のキセノンランプの分光特性とを示す。この図に示すように、Ｂ蛍光体とＧ蛍光体の比率を変え、Ｂ蛍光体の比率を上げることで、Ｂ透過フィルタの透過波長域内におけるキセノンランプのＧ蛍光体のサブピーク成分（４８８ｎｍ）の相対分光強度を低下させ、約４４５ｎｍの相対分光強度を向上させることで、従来光源では４８８ｎｍ成分／４４５ｎｍ成分が０．０１９２／０．０１２４≒１．５５であったのに対し、本実施形態の光源では０．０２１４／０．０１９７≒１．０９と大幅に改善され、４８８ｎｍの成分に対する反射率の高い原稿を読み取ったときに問題となる約４８８ｎｍの成分の影響が軽減できる。
【００３５】
また、従来技術で例示した原稿Ｄ、Ｅ、Ｆを図７に示す特性を有する本実施形態のキセノンランプで照明し、従来の代表的なカラーイメージセンサで読み取ったときのＲ、Ｇ、Ｂの出力レベルは表９のようになる（値は相対値）。
【表９】
2005244504.tif 000011
【００３６】
この表と表４とを比較することにより、Ｂ出力の比は原稿Ｅ：Ｆ：Ｄ＝１：０．９２：０．９６であったものが、本実施形態によれば、原稿Ｅ：Ｆ：Ｄ＝１：０．９６：１．０４となり、原稿Ｅでの過大なＢ出力が改善されていることが判る。
【００３７】
このように、本発明の第５の実施形態によれば、イメージセンサのＢ透過フィルタの透過波長域内におけるキセノンランプのＧ蛍光体のサブピーク成分に対しＢ蛍光体のスペクトル成分の比率を大きくしたので、４８８ｎｍの成分に対する反射率の高い原稿を読み取ったときにＢ出力が高めに出る現象を軽減し、色再現性を改善することができる。
【００３８】
〔第６の実施形態〕
本発明の第６の実施形態による画像読取装置の基本構成は第１の実施の形態（図１）と同様である。本実施形態では、カラーイメージセンサの構成は第４の実施形態と同じであり、光源の構成は第５の実施形態と同じである。
【００３９】
従来技術で例示した原稿Ｄ、Ｅ、Ｆを図７に示す特性を有する本実施形態のキセノンランプで照明し、図６に示す特性を有する本実施形態のカラーイメージセンサで読み取ったときのＲ、Ｇ、Ｂの出力レベルは表１０のようになる（値は相対値）。
【表１０】
2005244504.tif 000012
【００４０】
この表と表４とを比較することにより、Ｂ出力の比は原稿Ｅ：Ｆ：Ｄ＝１：０．９２：０．９６であったものが、本実施形態によれば、原稿Ｅ：Ｆ：Ｄ＝１：０．９９：１．０２となり、原稿Ｅでの過大なＢ出力が改善されていることが判る。
【００４１】
図８は本実施形態と従来技術、第４の実施形態、第５の実施形態とを比較するために、キセノンランプのＧ蛍光体のサブピーク成分（４８８ｎｍ）の影響について示したものである。この図は、長波長域（８００ｎｍ）から短波長域（３５０ｎｍ）に向かってＢ透過フィルタの分光感度特性と光源の分光スペクトルとを横軸の波長まで掛け合わせ積算した値を全波長域（３５０〜８００ｎｍ）の積和値で正規化したものである。この図において、”ＣＣＤ  Ｂ改善積算”は第４の実施形態、”Ｂ改善キセノン積算”は第５の実施形態、”ＣＣＤ＋キセノンＢ改善積算”は本実施形態である。
【００４２】
この図から、例えば、従来積算では４８０ｎｍで積和値が約０．３であるので４８８ｎｍのピーク前後で約３０％の影響があることが判る。また、４８０ｎｍで比較すると、最も値が低い本実施形態を含めて全ての実施形態が従来例より低い値となっており、４８８ｎｍのピークの影響が軽減されていることが判る。
【００４３】
このように、本発明の第６の実施形態によれば、イメージセンサのＢ透過フィルタの分光透過率特性の山の長波長側の裾を短波長側に狭めるとともに、そのＢ透過フィルタの透過波長域内におけるキセノンランプのＧ蛍光体のサブピーク成分に対しＢ蛍光体のスペクトル成分の比率を大きくしたので、４８８ｎｍの成分に対する反射率の高い原稿を読み取ったときにＢ出力が高めに出る現象を軽減し、色再現性を改善することができる。
【００４４】
〔第７の実施形態〕
図９は本発明の第７の実施形態による画像読取装置のイメージセンサ及び画像処理ブロックを示す図である。この画像読取装置における光源、光学系、及びイメージセンサの基本構成は図１と同様である。ただし、本実施形態では、光源の相対分光強度特性及びイメージセンサのＲ、Ｇ、Ｂフィルタの分光透過率特性は従来の代表的なものと同じであり、画像処理ブロックにより色再現性を向上させている。
【００４５】
本実施形態の画像読取装置は、イメージセンサ１４と、イメージセンサ１４から出力されるＲ、Ｇ、Ｂの画像信号を処理する画像処理ブロック１５を備えている。画像処理ブロック１５は、イメージセンサ１４から出力されるＲ、Ｇ、Ｂの画像信号に対して所定のアナログ処理を施すアナログ処理部１６と、アナログ処理部１６の出力をデジタル画像データに変換するＡＤ変換部１７と、ＡＤ変換部１７から出力されるデジタル画像データの各画素毎に黒レベルをゼロ、白レベルをフルスケールに正規化してＲ、Ｇ、Ｂの原画像データに黒レベル・白レベル処理部１８と、黒レベル・白レベル処理部１８から出力されたＲ、Ｇ、Ｂの各原画像データ毎に対して指定された値を減算する固定値減算部１９と、固定値減算部１９の減算値を設定する減算値設定部２０とを備えている。
【００４６】
以上の構成を有する画像読取装置において、イメージセンサ１４から出力されたＲ、Ｇ、Ｂ３系統のアナログ画像信号は、各系統毎独立したアナログ処理部１６を通り、各系統毎にＡＤ変換部１７によりデジタル画像データに変換される。Ｒ、Ｇ、Ｂ各々のデジタル画像データは黒レベル・白レベル処理部１８により黒レベルを“ゼロ" 、白レベルを“フルスケール" となるように正規化される。その後、固定値減算部１９により、Ｒ、Ｇ、Ｂ各々固定値が減算され画像データとして後段に渡される。減算する固定値は図示されていない制御部より減算値設定部２０に設定される。固定値は図示されていない操作部からユーザーが設定することも可能であり、例えば「赤強調」、「Ｂ強調」などのモードを設けて、モード選択可能に構成してもよい。
【００４７】
このように、本発明の第７の実施形態によれば、特定原稿でＲ、Ｇ、Ｂの出力バランスがくずれた場合、Ｒ、Ｇ、Ｂの画像データに対して、設定により固定値を減算することで崩れたＲ、Ｇ、Ｂのバランスを補正することができる。
【００４８】
〔第８の実施形態〕
図１０は本発明の第８の実施形態による画像読取装置のイメージセンサ及び画像処理ブロックを示す図である。ここで、図９（第７の実施形態）と同一の構成要素には図９で使用した符号を付した。本実施形態は、第７の実施形態における固定値減算部１９、減算値設定部２０に代えて係数乗算部２１、係数設定部２２を設けたものである。
【００４９】
以上の構成を有する画像読取装置において、イメージセンサ１４から出力されたＲ、Ｇ、Ｂ３系統のアナログ画像信号が黒レベル・白レベル処理部１８から出力される迄の処理は第７の実施形態と同じである。本実施形態では、黒レベル・白レベル処理部１８から出力された係数乗算部２１により、Ｒ、Ｇ、Ｂ各々係数が乗算され画像データとして後段に渡される。係数設定部２２における係数の設定方法は第７の実施形態における減算値の設定方法と同様である。
【００５０】
このように、本発明の第８の実施形態によれば、特定原稿でＲ、Ｇ、Ｂの出力バランスがくずれた場合、Ｒ、Ｇ、Ｂの画像データに対して、設定により係数を乗算することで崩れたＲ、Ｇ、Ｂのバランスを補正することができる。
【００５１】
〔第９の実施形態〕
図１１は本発明の第９の実施形態による画像読取装置のイメージセンサ及び画像処理ブロックを示す図である。ここで、図９（第７の実施形態）と同一の構成要素には図９で使用した符号を付した。本実施形態は、第７の実施形態における固定値減算部１９、減算値設定部２０に代えて演算部２３、演算部設定部２４を設けたものである。演算部２３は図１１（ｂ）に示すように、固定値減算又は係数乗算部２３１と、固定値又は係数選択テーブル２３２と、レベル判定部２３３とを備えている。
【００５２】
黒レベル・白レベル処理部１８より出力されたＲ、Ｇ、Ｂ各デジタル画像データは、固定値減算又は係数乗算部２３１に入力されるとともに、レベル判定部２３３にも入力され、Ｒ、Ｇ、Ｂ各々のデジタル画像に対し、レベル判定を行い、その結果をテーブルアドレスとして固定値又は係数選択テーブル２３２に渡す。固定値又は係数選択テーブル２３２では入力されたＲ、Ｇ、Ｂデータごとのテーブルアドレスに応じて予め設定されたＲ、Ｇ、Ｂ毎の固定値又は係数を固定値減算又は係数乗算部２３１に渡す。係数乗算部２３１では、設定された内容に応じた演算を行い、その結果を画像データとして後段に渡す。なお、レベル判定部２３３における入力データの判定レベルは予め設定されている。
【００５３】
図１２は固定値又は係数選択テーブル２３２に設定されているテーブルの一例である。このテーブルは固定値の減算に用いるものであり、Ｒ、Ｇ、Ｂ毎に判定レベルが４レベル（出力テーブルアドレスは２ｂｉｔ。Ｒの判定レベル：１６／３２／６４／１２８、Ｇの判定レベル：２４／３２／６４／１６０、Ｂの判定レベル：８／１６／３２／６４）、入力データはＲ、Ｇ、Ｂ各々８ｂｉｔである。
【００５４】
このように、本発明の第９の実施形態によれば、特定原稿でＲ、Ｇ、Ｂの出力バランスがくずれた場合、Ｒ、Ｇ、Ｂの画像データに対して、テーブルに設定されている演算（固定値減算又は係数乗算）を行うことで崩れたＲ、Ｇ、Ｂのバランスを補正することができる。
【００５５】
このように、本発明の各実施形態では、従来の画像読取装置で色再現性を確保するために使用している高価な光学フィルタ（赤外カットフィルタ、色変換フィルタ）を用いずに色再現性を改善することが可能となる。そして、これらの画像読取装置をカラーデジタル複写機の画像読取装置に適用することで、カラーデジタル複写機の色再現性の向上が実現できる。
【図面の簡単な説明】
【００５６】
【図１】本発明の第１の実施形態による画像読取装置の概略構成を示す図である。
【図２】図１におけるイメージセンサに設けられたＲ透過フィルタの特性を説明するための図である。
【図３】代表的なキセノンランプのＲ、Ｇ、Ｂの蛍光体の分光特性を示す図である。
【図４】本発明の第２の実施形態のキセノンランプの分光特性と従来のキセノンランプの分光特性とを示す図である。
【図５】本発明の第３の実施形態、従来技術、第１の実施形態及び第２の実施形態における長波長領域の影響を示す図である。
【図６】本発明の第４の実施形態のカラーイメージセンサに設けられたＢ透過フィルタの特性を説明するための図である。
【図７】本発明の第５の実施形態のキセノンランプの分光特性と従来のキセノンランプの分光特性とを示す図である。
【図８】本発明の第６の実施形態と従来技術、第４の実施形態、第５の実施形態におけるキセノンランプのＧ蛍光体のサブピーク成分の影響について示す図である。
【図９】本発明の第７の実施形態による画像読取装置のイメージセンサ及び画像処理ブロックを示す図である。
【図１０】本発明の第８の実施形態による画像読取装置のイメージセンサ及び画像処理ブロックを示す図である。
【図１１】本発明の第９の実施形態による画像読取装置のイメージセンサ及び画像処理ブロックを示す図である。
【図１２】図１１の固定値又は係数選択テーブルに設定されているテーブルの一例を示す図である。
【図１３】代表的なキセノンランプの分光スペクトルを示す図である。
【図１４】代表的なＣＣＤカラーイメージセンサの分光感度特性を示す図である。
【図１５】長波長光成分の影響が出にくい原稿と出易い原稿の分光反射特性を示す図である。
【図１６】キセノンランプの４８８ｎｍの小ピークの影響を受け易い原稿と受けにくい原稿の分光反射率を示す図である。
【符号の説明】
【００５７】
１・・・光源、２・・・原稿、４・・・イメージセンサ、５、１５・・・画像処理ブロック、１７・・・ＡＤ変換部、１８・・・黒レベル・白レベル処理ブロック、１９・・・固定値減算部、２１・・・係数乗算部、２３・・・演算部、
【図１】
2005244504.tif 000013
【図２】
2005244504.tif 000014
【図３】
2005244504.tif 000015
【図４】
2005244504.tif 000016
【図５】
2005244504.tif 000017
【図６】
2005244504.tif 000018
【図７】
2005244504.tif 000019
【図８】
2005244504.tif 000020
【図９】
2005244504.tif 000021
【図１０】
2005244504.tif 000022
【図１１】
2005244504.tif 000023
【図１２】
2005244504.tif 000024
【図１３】
2005244504.tif 000025
【図１４】
2005244504.tif 000026
【図１５】
2005244504.tif 000027
【図１６】
2005244504.tif 000028